(57)【特許請求の範囲】
【請求項１】
方立と、左右の方立間に取付けられる無目と、方立と無目とによって形成される開口枠に装着されるパネルと、方立に取付けられて無目の室外側下端を支持する転び止め部品とを備え、
方立は、長手方向に溝状部を有し、
溝状部は、無目の取付位置において切欠かれ、無目の取付位置の下方位置において上方に開放する端部を有し、
転び止め部品は、溝状部の上方に開放する端部に嵌まり込む取付部を有する
ことを特徴とするカーテンウォール。
【発明の詳細な説明】
【技術分野】
【０００１】
本発明は、方立と無目とにより形成した開口枠にガラス等のパネルを装着して構成され、建築物の外壁面に取付けられるカーテンウォールに関する。
【背景技術】
【０００２】
従来より、カーテンウォールとして、駆体に取り付けた方立間に無目を取り付けて開口枠を形成し、該開口枠にパネルを装着してなるものが知られており、無目を方立に取り付けるに際して、方立の無目を取付ける位置に予め自重受けブラケットと転倒防止金具とを取り付けて、自重受けブラケットにより無目を支持しながら転倒防止金具により無目が室外側に転倒して脱落するのを防止するカーテンウォールは知られていた（特許文献１）。
また、方立に取付けた無目ブラケットにより無目を支持しながら、方立の室外側面に形成したフランジと無目の室外側面との間に無目スペーサを挿入して無目が下向きに大きく転ぶことを防止できるカーテンウォールは知られていた（特許文献２）。
【先行技術文献】
【特許文献】
【０００３】
【特許文献１】特許第５１８９９６２号公報
【特許文献２】特開２０１３−１９９７８７号公報
【発明の概要】
【発明が解決しようとする課題】
【０００４】
しかしながら、上記特許文献１のカーテンウォールは、方立の室外側面にフランジを有しないことを前提としているため、方立の室外側面にフランジを有する方立を有するカーテンウォールには対応していなかった。たとえ、対応させたとしても、転倒防止金具がビスで取り付けられているために、方立の室外側面にフランジを有する方立に取り付けるためには、フランジの裏でのビス留め作業が繁雑となり、フランジにビス留めすると、フランジの室外側面に何らかの仕上げ処理を施す必要があった。
また、上記特許文献２のカーテンウォールの無目スペーサは、無目を方立間に配置した後に無目と方立の室外側面との間に挿入されるので、無目の方立間への配置時には、無目ががたついて正確な位置決めが難しかった。また、無目スペーサは軟質の弾性材で形成され、挿入されているので、経年劣化による縮み等により無目のがたつきが生じる可能性があった。
【０００５】
本発明は、上記事情を鑑みたものであり、方立に対する無目の室外側への転倒を防止する転び止め部品を方立に対して簡単、確実に取り付けることができるカーテンウォールを提供することを目的とするものである。
【課題を解決するための手段】
【０００６】
本発明は、方立と、左右の方立間に取付けられる無目と、方立と無目とによって形成される開口枠に装着されるパネルと、方立に取付けられて無目の室外側下端を支持する転び止め部品とを備え、方立は、長手方向に溝状部を有し、溝状部は、無目の取付位置において切欠かれ、無目の取付位置の下方位置において上方に開放する端部を有し、転び止め部品は、溝状部の上方に開放する端部に嵌まり込む取付部を有することを特徴とする。
【発明の効果】
【０００７】
転び止め部品は、方立に形成した溝状部の開放する端部に取付部を嵌め込むことにより取付けることができるので、その取付けにネジ等の部品が必要なく、取付作業が簡単である。
また、無目の取付け前に転び止め部品が取り付けられているので、無目の取付けに際して、無目の位置決めや支持をすることができ、無目の取付け作業も簡単になる。
【図面の簡単な説明】
【０００８】
【図１】本発明の実施形態に係るカーテンウォールの一部外観図である。
【図２】本発明の実施形態に係るカーテンウォールの方立と無目との連結部分を室外側上方より見た斜視図である。（なお、説明のため、室外側から見て右側のカバー部材を省いている。）
【図３】本発明の実施形態に係るカーテンウォールの方立に対して無目を支持する前の状態を示す斜視図である。
【図４】本発明の実施形態に係るカーテンウォールの方立に無目を支持させた状態を示す斜視図である。
【図５】本発明の実施形態に係るカーテンウォールの方立と無目との連結部分の側面図である。
【図６】本発明の実施形態に係るカーテンウォールの方立と無目との連結部分を室内側下方より見た斜視図である。
【図７】本発明の実施形態に係るカーテンウォールに使用される転び止め部品の説明図であり、（ａ）は斜視図、（ｂ）は正面図、（ｃ）は背面図、（ｄ）は、平面図、（ｅ）は側面図である。
【図８】本発明の実施形態に係るカーテンウォールにおいて、方立に設けた溝状部の開放する端部に転び止め部品を取付ける状態を説明する図であり、（ａ）は、取付前の全体の斜視図、（ｂ）は、方立の取付部の拡大平面図である。
【図９】本発明の実施形態に係るカーテンウォールにおいて、方立に設けた溝状部の開放する端部に転び止め部品を取付けた状態を説明する図である。
【図１０】地震時におけるサッシの変形状態を説明する図であり、（ａ）は、地震により開口枠Ｗが変形する前の初期状態、（ｂ）は、地震により開口枠Ｗが変形した場合にパネルがスライドするスライド状態、（ｃ）は、地震によって開口枠Ｗが変形した場合にパネルがローリングするローリング状態を示す図である。
【発明を実施するための形態】
【０００９】
（カーテンウォールの構成）
図面を参照しながら、本発明の第１の実施形態に係るカーテンウォールを説明する。本発明の実施形態のカーテンウォールは、図１に示されるように、方立１間に無目２を配設して構成される開口枠Ｗにガラス等のパネルｐを装着して構成されている。
図２に示すように、方立１の左右には、室内側の壁に気密材Ｓが配置された凹部Ａを備え、該凹部Ａに無目２の端部が挿入されて取付けられると共に、その室外側には、カバー部材７及び押縁部材８が取り付けられることにより、無目２の上下にパネルｐを装着するためのパネル間口Ｍが形成される。
さらに、方立１の凹部Ａの無目２が取付けられていない適宜箇所の室内側には、凹部Ａに沿って竪補助材３が取付けられ、竪補助材３の室外側面と室外壁１３とにより、パネルｐを装着するための竪パネル間口が形成される。凹部Ａ内に取付けられた無目２及び竪補助材３と方立１とは、凹部Ａに配置された気密材Ｓにより気密され、カーテンウォールの室内側への雨風の浸入を防止している。
【００１０】
図２乃至５に示すように、方立１は、上下方向に延びる中空の方立本体部１１と、方立本体部１１の室外側面略中央より室外側に延設する方立突出片１２と、方立突出片１２の室外側端に連続しカーテンウォールの縦枠外面となる室外壁１３とにより構成されており、方立突出片１２の左右両側には、方立本体部１１の室外側面と室外壁１３とにより、無目２を挿入して固定する凹部Ａが形成されている。
【００１１】
前記凹部Ａの室内側には無目２を支持する自重受け６が取付けられているとともに、前記凹部Ａの室外側には無目２が室外側に転倒することを防止する転び止め部品５が取付けられている。自重受け６は、取付部６２と、取付部６２の上端を屈曲させて形成される支持部６１とにより、略Ｌ字状の部品として形成されている。そして、方立突出片１２に対して取付部６２をボルト等により取り付けることで、支持部６１を上にして自重受け６が方立突出片１２に固定されている。
【００１２】
図３に示すように、無目２は、左右方向に延びる中空部を備える無目本体部２１と、無目本体部２１の高さ方向略中央より室外側に延設する無目突出片２２とにより構成されている。無目突出片２２の上面には、後述するカバー部材７の係合部７４が係合される係合溝２２ａが形成され、無目突出片２２の下面には、無目２下方のガラス間口を構成する押縁部材８の係止爪８２ａ，８２ｂが係止される係止受爪２２ｂ，２２ｃが形成されている。
【００１３】
そして、図４に示すように、無目２の両側端部を方立１の前記凹部Ａに挿入して、無目本体部２１の下面を自重受け６の上面に載置して支持するとともに、無目突出片２２の下面を方立１の室外側に取り付けられた転び止め部品５の上面に載置することで、方立１に対して無目２を安定して支持することができ、無目２の上面にパネルｐが載置された時などに、無目２が室外側へ転倒することを防止している。
方立１の凹部Ａに挿入して支持された無目２の端部と方立１の見込み面との間には、コーキング材等のシール材９１が充填されている。
【００１４】
無目２の無目突出片２２の室外側には、方立１の室外壁１３と共にカーテンウォールの外面を構成するカバー部材７が取付けられ、カバー部材７の室内側であり無目２の下面には、押縁部材８が取付けられている。
カバー部材７は、カーテンウォールの横枠外面を構成する外壁部７１と、無目２の上方のパネル間口Ｍを構成する内壁部７２と、外壁部７１と内壁部７２との上端を連結する連結部７３と、内壁部７２の室内側に設けられる係合部７４とを備えており、無目突出片２２の上面に形成された係合溝２２ａに係合部７４を係合して無目２に対して取付けられている。
カバー部材７の内壁部７２の適宜位置には、外気を導入する外気導入口７２ａが形成されており、パネル間口Ｍ及び凹部Ａを外気導入口７２ａと連通させることにより室外空間と等圧構造とし、両空間の圧力差による水の浸入を防止している。
【００１５】
押縁部材８は、無目２下方のパネル間口Ｍを構成する押縁部８１と、押縁部８１の室内側に設けられ、２つの係止爪８２ａ，８２ｂを有する上壁部８２とを備えており、無目突出片２２の下面に形成された係止受爪２２ｂ，２２ｃに係止爪８２ａ，８２ｂを係止して無目２に対して取付けられている。
図６に示すように、押縁部材８の上壁部８２の端部にはスリット８２ｃが形成され、スリット８２ｃには緩衝部材９２が配置することにより、地震等によって枠体が変形したときにガラスの隅部が接触して破損することを防止している。
【００１６】
（転び止め部品の構成）
図７を参考にして、転び止め部品５の構成を説明する。
転び止め部品５は、上面に無目２の室外側の下面を載置する載置部５１を有する平面視長方形のピース状の部品として形成されており、下面には室外側辺に沿って取付脚（取付部）５２が延設されているとともに、取付脚５２の室内側には、所定間隔をおいて正面壁５３が形成されている。
正面壁５３は、載置部５１の下面に配置され、その室内側表面は、載置部５１の室内側先端下面に向けて湾曲しながら徐々に肉厚になる断面形状を成しており、載置部５１上面にかかる荷重により生じる剪断力に対抗している。
取付脚５２は、その左右一端側が切り欠かれ、正面壁５３に対して幅が狭く形成されており、後述する方立１に形成された取付部に嵌合可能な幅に調整されている。
また、載置部５１の後方には、ブロック状の頭部５４が形成されており、その上端正面側が斜めに切りかかれて切欠部５４ａが形成されている。この切欠部５４ａにより、方立１の凹部Ａに無目２の端部を取付けるときに、無目２の室外側下面が切欠部５４ａに当接して室内側に誘導されながら載置部５１の上面に落とし込まれるので、方立１の凹部Ａに配置された気密材Ｓを押圧しながら、無目２を載置部５１に簡単に導くことができる。
【００１７】
（転び止め部品の取付構造）
方立１の室外側部位、具体的には、室外壁１３の室内側面には、転び止め部品５を取り付けるための取付部が形成される。取付部は、方立突出片１２の左右両面の室外壁１３近傍に形成される突片１２ａ，１２ｂと、室外壁１３の室内側面に先端が方立突出片１２の突片１２ａ，１２ｂに向かって屈曲する左右の屈曲片１３ａ，１３ｂとによって構成される溝状部１４を切欠くことによって開放する溝状部１４の端部１４ａ，１４ｂによって形成されている。
【００１８】
溝状部１４の開放する端部１４ａ，１４ｂに取付脚５２が挿入されて取付けられた転び止め部品５は、取付脚５２と正面壁５３とにより、突片１２ａ，１２ｂ及び屈曲片１３ａ，１３ｂをしっかりと挟み込み、載置部５１にかかるパネルからの負荷を正面壁５３で下面から受けるとともに溝状部１４に伝達することができるので、簡単な構成でありながら、剛性の高いパネル支持構造を得ることができる。
【００１９】
方立突出片１２の室外側の部位で、溝状部１４、１４の開放する端部１４ａ，１４ｂによりも上方位置には、ネジ等の抜止め部材５ａを通す通孔１２ｃが形成されており、方立１に転び止め部品５を取付けた後に通孔１２ｃにネジ等の抜止め部材５ａを固定することにより、溝状部１４の開放する端部１４ａ，１４ｂに嵌め込んだ転び止め部品５が上方へ移動することを阻止して、転び止め部品５が端部１４ａ，１４ｂから抜けることを防止している。
なお、図面によって説明する本実施形態においては、室外壁１３が方立突出片１２を中心として左右対称とはなっていない。そのために、方立突出片１２の左右に配置される転び止め部品５は、左右で異なる幅のものを使用している。
【００２０】
−本実施の形態による作用効果−
以上のように、転び止め部品５の取付脚５２を溝状部１４の開放する端部１４ａ，１４ｂに嵌め込むだけで転び止め部品５を簡単に取り付けることができ、方立１に対する無目２の取付け作業が簡単にできる。
また、溝状部１４は、押出形成により方立１の形成と一体的に形成することができ、形成が簡単であるとともに、形成した溝状部１４を無目２の取付け位置に併せて切欠いて端部を開放（露出）することにより形成できるので、取付ける無目の形状や大きさに応じて取付部の位置を簡単に変更することができ、様々な種類の無目に対応することができる。
【００２１】
取付けられた転び止め部品５は、一側面を方立１の方立突出片１２に当接させると共に、他側面をパネルを保持する押縁部材８の端面に当接させることにより、開口枠Ｗの面内変形に対して押縁部材８を追従させることができる。    
これにより、例えば図１０（ｂ），（ｃ）に示すような、開口枠がゆがむような地震が発生した際にも、開口枠Ｗの面内変形に対する押縁部材８のずれによってパネルが図１０（ｂ）のスライド状態となることを防止して、図１０（ｃ）のローリング状態となるように導くことができるので、スライド状態におけるパネルの隅部と開口枠との当接等によるカーテンウォールの破壊を防止できる。
【符号の説明】
【００２２】
１          方立
１１      方立本体部
１２      方立突出片
１２ａ  突片
１２ｂ  突片
１２ｃ  通孔
１３      室外壁
１３ａ  屈曲片
１３ｂ  屈曲片
１４      溝状部
１４ａ  （溝状部の開放する）端部
１４ｂ  （溝状部の開放する）端部
２          無目
２１      無目本体部
２２      無目突出片
２２ａ  係合溝
２２ｂ  係止受爪
２２ｃ  係止受爪
５          止め部品
５１      載置部
５２      取付脚（取付部）
５３      正面壁
６          自重受け
６１      支持部
６２      取付部
７          カバー部材
７１      係合部
８          押縁部材
８１      係止爪
８２      係止爪
９１        シール材
９２        緩衝部材
Ａ          空間
Ｗ          開口枠
ｐ          パネル
【図１】
0006392609.tif 000002
【図２】
0006392609.tif 000003
【図３】
0006392609.tif 000004
【図４】
0006392609.tif 000005
【図５】
0006392609.tif 000006
【図６】
0006392609.tif 000007
【図７】
0006392609.tif 000008
【図８】
0006392609.tif 000009
【図９】
0006392609.tif 000010
【図１０】
0006392609.tif 000011